(57)【要約】【課題】被検査者のプライバシーの保護が確保された状態で、自らの操作によって必要にときに健康度のチェックができ、そのチェックの結果を直ちに入手できること。【解決手段】この発明は、被検査者の健康に係る測定量を測定して健康度を判定するための健康度チェック装置であり、被検査者の身長を測定する身長センサ３２４、被検査者のの体重を測定する体重センサ３２５、被検査者の血液を採取してその生化学的な値を測定する血液センサ３２１などを備えている。制御部３０２は、その測定された各データに基づいて所定の分析／演算処理を行い、被検査者の健康度を判定する。この判定された健康度は、タッチパネル型ディスプレイ３４１に表示され、またはプリンタ３４２でプリント出力される。【選択図】  図３
2008090465.tif 000002
【特許請求の範囲】
【請求項１】
被検査者の健康に係る測定量を測定して健康度を判定するための健康度チェック装置であって、
被検査者の身長および体重を少なくとも測定する第１のセンサと、
被検査者の血液の所定の生化学的な値を少なくとも測定する第２のセンサと、
その第１のセンサの測定値およびその第２のセンサの測定値に基づいて所定の分析／演算処理を行い、被検査者の健康度を判定する判定手段と、
この判定手段の判定結果を少なくとも出力する出力手段と、
を備えていることを特徴とする健康度チェック装置。
【請求項２】
前記第２のセンサは、被検査者の血液を採取する採血手段を含み、採血手段で採取された血液の所定の生化学的な値を測定するようになっていることを特徴とする請求項１に記載の健康度チェック装置。
【請求項３】
被検査者から採取した血液、尿、および大便のうちの少なくとも１つを検査まで一時的に保存しておく検体カートリッジを収納するカートリッジ収納部をさらに備え、
前記第２のセンサは、そのカートリッジ収納部にその検体カートリッジが収納された場合に、保存されている血液、尿、および大便の所定の生化学的な値を測定するようになっていることを特徴とする請求項１または請求項２に記載の健康度チェック装置。
【請求項４】
被検査者が検査を開始する際に所定の入力操作を行う入力手段をさらに備え、
その入力手段は、検査開始の際に、被検査者の本人確認が必要か否かを選択的に入力でき、または被検査者の氏名またはニックネームを選択的に入力できるようになっていることを特徴とする請求項１乃至請求項３のうちの何れかに記載の健康度チェック装置。
【請求項５】
使用料金の支払いを行う決済手段と、
被検査者が本人であるか否かを確認する本人確認手段とをさらに備え、
その決済手段での使用料金の支払いの完了またはその本人確認手段での本人確認の完了を条件に、前記第１および第２のセンサの使用が開始され、前記カートリッジ収納部に前記検体カートリッジが収納される構成となっていることを特徴とする請求項１乃至請求項４のうちの何れかに記載の健康度チェック装置。
【請求項６】
被検査者の体脂肪および骨密度を測定する第３のセンサをさらに備え、
前記判定手段は、被検査者の健康度を判定する際に、前記第３のセンサの測定結果をさらに参照し、
前記出力手段は、その測定結果を参照した判定結果を少なくとも出力するようになっていることを特徴とする請求項１乃至請求項５のうちの何れかに記載の健康度チェック装置。
【請求項７】
被検査者の所定の生体情報を検出し、この検出した生体情報を予め記憶してある記憶媒体のその生体情報を読み取る読み取り手段と、
その所定の生体情報を検出する検出手段と、をさらに備え、
前記本人確認手段は、その読み取り手段の読み取った生体情報とその検出手段の検出した生体情報とを参照し、本人の確認を行うようになっていることを特徴とする請求項１乃至請求項６のうちの何れかに記載の健康度チェック装置。
【請求項８】
前記検出手段は、被検査者の指紋、掌紋、静脈パターン、および手相のうちの少なくとも１つを検出するようになっており、
前記採血手段は、被検査者の指の一部から採血を行うようになっており、
かつ、前記検出手段は、前記採血手段の採血時に、同時に検出するようになっていることを特徴とする請求項７に記載の健康度チェック装置。
【請求項９】
請求項１乃至請求項８のうちの何れかに記載の健康度チェック装置と、この健康度チェック装置とネットワークを経由して双方向通信が可能な所定のサーバと、を含む健康度チェックシステムであって、
その健康度チェック装置は、第１のセンサの測定値および前記第２のセンサの測定値をそれぞれネットワークを介して前記サーバに向けて送信するようになっており、
そのサーバは、その送信された測定値を受信して所定の分析／演算処理を行い、被検査者の健康度を判定するようになっていることを特徴とする健康度チェックシステム。
【請求項１０】
前記サーバは、前記健康度チェック装置から送信された被検査者の検査データを格納する記憶手段を含み、
かつ、前記サーバは、ネットワーク経由でその記憶手段に格納される検査データを、被検査者の要求に応じて配信するようになっていることを特徴とする請求項９に記載の健康度チェックシステム。
【請求項１１】
前記健康度チェック装置は、被検査者の携帯電話に対して前記サーバが配信することを依頼する手段を含み、
前記サーバは、その配信が依頼された場合に、記憶手段に記憶される被検査者の検査データを前記携帯電話に配信するようになっていることを特徴とする請求項１０に記載の健康度チェックシステム。
【請求項１２】
端末装置の配信要求に応じて前記サーバが記憶手段に格納される検査データを端末装置に配信する場合に、その端末装置は認証されたデータを取得できるようになっていることを特徴とする請求項１０に記載の健康度チェックシステム。
【発明の詳細な説明】
【技術分野】
【０００１】
本発明は、被検査者自身が自ら装置を操作することで身長、体重、体脂肪などの物理的特性値や血液、尿、便などの生化学的特性値の結果およびそこから判定する健康度評価を受け取ることができる健康度チェック装置、および健康度チェックシステムに関するものである。
【背景技術】
【０００２】
従来の健康度チェックは、一般に医療機関に出かけて行なう「健康診断」「検診」や「血液、尿検査」などである。
しかし、病気でもなく、自分の健康度を簡単に今知りたい受検者にとっては、いちいち医療機関まで出向いたり、待ち時間を費やしたり、また高い料金を払う必要があるなど、これら大きな負担がある。
【０００３】
このため、ついつい検査に行かなくなり、予防的なチェックができずに本当の病気になってしまうことも多く、個人や家族のリスクやまた国家的な医療コストの増大につながっていた。このように、従来の健康度チェックでは、制度の使い勝手上とコスト上の課題を持っていた。
また、事業所によっては、集団検診ができるようなレントゲン装置を積んだ検診用車両すなわち「集団検診車」を用意することもあるが、年間でも１〜２回の回数が多く、受診者が好きな時に受診できなくて不便であるのが実態であった。
【０００４】
ところで、本人識別情報と関連付けた健康診断結果を迅速に集計できる、健康診断システムや検査方法に関する発明が知られている（例えば、特許文献１参照）。しかし、この発明では、車両設備一式が相当に高額になるので、公共的な場所に定常的に設置できるようなものではなく、利用者が予防的にマイペースで使用できる健康チェックの装置には採用が難しい。
【０００５】
また、最近の事例では、「コンビニ検診」というサービスがネット上で始まっている。このサービスでは、各種の検診をネットで申込み、コンビニで料金を支払えば検診キットが自宅に郵送され、このキットのテストピースに血液や尿、また便などを採取し、検診ビジネス運営企業の検査センターに返送する。すると、２週間くらいで結果が送られてくる仕組みである。
【０００６】
この場合、検査そのものは精度も高く信頼性もかなり高いが、このような知られたくない検査を受けていることや検査内容が家族や勤務先などに知られるおそれがある。これが無用な心配をかけることになり、プライバシー保護には対応できないという課題があった。また、結果が出るまでに２週間ほど必要なケースが一般的で、検査時間がかかりすぎるという欠点があった。さらに、単身世帯の増加などで留守宅の場合には、検査キットの受取りや郵送物による検査結果の受取りができない場合が多いという問題もあった。
【０００７】
一般的には、まだ病院に行ってまで受診したくないとか、受診キットを申し込みまたは返送したりまでするような怖い病気を想定しているわけではなく、単純に年齢に比べて体脂肪、血糖値、血圧値などが正常値であるかどうかが知りたいだけである。このため、人手を煩わせずに、自分の健康状態を思いついたときにチェックし常に把握しておきたいという個人や企業の需要には対応できていないという根本的な課題があった。
【０００８】
さらに、独身者の場合などは、家庭内に体脂肪計や血圧計などを保有していることが少なく、健康チェックなどを行う場所や機会が身近にないという課題があった。
また、医者や雇用主と直接相対したり、利用者を看護士が案内して検診を施すような場合は、本人かどうかの確認は常に可能であり、他人のなりすましなどによるような、生命保険などの加入条件となる受診数値を操作などをしたりして悪意でクリアすることはできなかった。
【０００９】
しかし、上記の「コンビニ検診」などでは、健康な他人が病気の本人に「なりすまし」で受診することやキットの「すり替え」などが可能であるため、たとえば保険会社や雇用主などが本人との関連付けた健康度履歴などを照会しても、その健康度に関連するデータが信頼できないという根本的な課題があった。
【特許文献１】特開２００４−２３７０８４号公報
【発明の開示】
【発明が解決しようとする課題】
【００１０】
そこで、本発明の第１の目的は、上記の点に鑑み、被検査者のプライバシーの保護が確保された状態で、被検査者自身の操作によって必要にときに健康度のチェックができ、そのチェックの結果を直ちに入手することができるようにした健康度チェック装置を提供することにある。
また、本発明の第２の目的は、被検査者が健康度のチェックをすることにより、その後に被検査者が必要に応じて、ネットワークを介して端末装置などでその健康度に係るデータを容易に獲得できるようにした健康度チェックシステムを提供することにある。
【課題を解決するための手段】
【００１１】
上記の課題を解決し本発明の目的を達成するために、各発明は以下のように構成するようにした。
すなわち、請求項１に係る発明は、被検査者の健康に係る測定量を測定して健康度を判定するための健康度チェック装置であって、被検査者の身長および体重を少なくとも測定する第１のセンサと、被検査者の血液の所定の生化学的な値を少なくとも測定する第２のセンサと、その第１のセンサの測定値およびその第２のセンサの測定値に基づいて所定の分析／演算処理を行い、被検査者の健康度を判定する判定手段と、この判定手段の判定結果を少なくとも出力する出力手段と、を備えている。
【００１２】
請求項２に係る発明は、請求項１に記載の健康度チェック装置において、前記第２のセンサは、被検査者の血液を採取する採血手段を含み、採血手段で採取された血液の所定の生化学的な値を測定するようになっている。
請求項３に係る発明は、請求項１または請求項２に記載の健康度チェック装置において、被検査者から採取した血液、尿、および大便のうちの少なくとも１つを検査まで一時的に保存しておく検体カートリッジを収納するカートリッジ収納部をさらに備え、前記第２のセンサは、そのカートリッジ収納部にその検体カートリッジが収納された場合に、保存されている血液、尿、および大便の所定の生化学的な値を測定するようになっている。
【００１３】
請求項４に係る発明は、請求項１乃至請求項３のうちの何れかに記載の健康度チェック装置において、被検査者が検査を開始する際に所定の入力操作を行う入力手段をさらに備え、その入力手段は、検査開始の際に、被検査者の本人確認が必要か否かを選択的に入力でき、または被検査者の氏名またはニックネームを選択的に入力できるようになっている。
【００１４】
請求項５に係る発明は、請求項１乃至請求項４のうちの何れかに記載の健康度チェック装置において、使用料金の支払いを行う決済手段と、被検査者が本人であるか否かを確認する本人確認手段とをさらに備え、その決済手段での使用料金の支払いの完了またはその本人確認手段での本人確認の完了を条件に、前記第１および第２のセンサの使用が開始され、前記カートリッジ収納部に前記検体カートリッジが収納される構成となっている。
【００１５】
請求項６に係る発明は、請求項１乃至請求項５のうちの何れかに記載の健康度チェック装置において、被検査者の体脂肪および骨密度を測定する第３のセンサをさらに備え、前記判定手段は、被検査者の健康度を判定する際に、前記第３のセンサの測定結果をさらに参照し、前記出力手段は、その測定結果を参照した判定結果を少なくとも出力するようになっている。
【００１６】
請求項７に係る発明は、請求項１乃至請求項６のうちの何れかに記載の健康度チェック装置において、被検査者の所定の生体情報を検出し、この検出した生体情報を予め記憶してある記憶媒体のその生体情報を読み取る読み取り手段と、その所定の生体情報を検出する検出手段と、をさらに備え、前記本人確認手段は、その読み取り手段の読み取った生体情報とその検出手段の検出した生体情報とを参照し、本人の確認を行うようになっている。
【００１７】
請求項８に係る発明は、請求項７に記載の健康度チェック装置において、前記検出手段は、被検査者の指紋、掌紋、静脈パターン、および手相のうちの少なくとも１つを検出するようになっており、前記採血手段は、被検査者の指の一部から採血を行うようになっており、かつ、前記検出手段は、前記採血手段の採血時に、同時に検出するようになっている。
【００１８】
請求項９に係る発明は、請求項１乃至請求項８のうちの何れかに記載の健康度チェック装置と、この健康度チェック装置とネットワークを経由して双方向通信が可能な所定のサーバと、を含む健康度チェックシステムであって、その健康度チェック装置は、第１のセンサの測定値および前記第２のセンサの測定値をそれぞれネットワークを介して前記サーバに向けて送信するようになっており、そのサーバは、その送信された測定値を受信して所定の分析／演算処理を行い、被検査者の健康度を判定するようになっている。
【００１９】
請求項１０に係る発明は、請求項９に記載の健康度チェックシステムにおいて、前記サーバは、前記健康度チェック装置から送信された被検査者の検査データを格納する記憶手段を含み、かつ、前記サーバは、ネットワーク経由でその記憶手段に格納される検査データを、被検査者の要求に応じて配信するようになっている。
【００２０】
請求項１１に係る発明は、請求項１０に記載の健康度チェックシステムにおいて、前記健康度チェック装置は、被検査者の携帯電話に対して前記サーバが配信することを依頼する手段を含み、前記サーバは、その配信が依頼された場合に、記憶手段に記憶される被検査者の検査データを前記携帯電話に配信するようになっている。
請求項１２に係る発明は、請求項１０に記載の健康度チェックシステムにおいて、端末装置の配信要求に応じて前記サーバが記憶手段に格納される検査データを端末装置に配信する場合に、その端末装置は認証されたデータを取得できるようになっている。
【発明の効果】
【００２１】
このような構成からなる本発明の健康度チェック装置によれば、公共的な場所に設置しておけば、被検査者はプライバシーの保護が確保された状態で、被検査者自身の操作によって必要にときに健康度のチェックができ、そのチェックの結果を直ちに入手することができる。
また、本発明の健康度チェック装置によれば、本人確認の必要の有無にかかわりなく使用できる上に、匿名やニックネームでの使用も可能である。
さらに、本発明の健康度チェックシステムによれば、被検査者が健康度のチェックをすることにより、その後に被検査者などが必要に応じて、端末装置などの利用によりネットワークを介してサーバから本人と関連付けた健康度に係るデータを容易に獲得できる。
【発明を実施するための最良の形態】
【００２２】
以下、本発明の健康度チェック装置および健康度チェックシステムの実施形態について図面を参照して説明する。
図１は、本発明の健康度チェック装置を含む健康度チェックシステムの実施形態の全体の構成を示す図である。
（健康度チェックシステムの構成）
この健康度チェックシステムは、図１に示すように、健康度チェック装置１０１と、データセンター１０３と、パーソナルコンピュータなどの端末装置１０５と、コールセンター１０７と、無線基地局１０８と、通信／決済会社１０９と、健康診断会社１１０と、保険会社１１１とを含み、これらがネットワーク１０２にそれぞれ接続されている。
【００２３】
健康度チェック装置１０１は、公共的な場所に設置され、被検査者１０４がプライバシーの保護が確保された状態で、被検査者自身の操作によって必要にときに健康度のチェックを行うための端末装置であり、ネットワーク１０２を介してデータセンター１０３などと双方向の通信ができるようになっている。
データセンター１０３は、健康度チェック装置１０１からネットワーク１０２を介してデータを収集して処理するデータベース１０３ｂと、そのデータベース１０３ｂに格納される収集処理した健康度に係るデータを配信できるサーバ１０３ａと、を備えている。
【００２４】
端末装置１０５は、被検査者１０４の自宅１１２などに設置されるものであり、被検査者１０４が必要に応じて、ネットワーク１０２を介してデータセンター１０３と双方向の通信できるようになっている。
無線基地局１０８は、被検査者１０４の所有する携帯電話１０６と無線通信を行うものである。従って、携帯電話１０６は、無線基地局１０８を経由し、ネットワーク１０２上のデータセンター１０３と双方向の通信を行うことができるようになっている。
コールセンター１０７、通信／決済会社１０９、健康診断会社１１０、および保険会社１１１は、図１に示すように、それぞれデータベース１０７ｂ、１０９ｂ、１１０ｂ、１１１ｂを備えている。
【００２５】
（健康度チェック装置の外観構成）
図２は、図１に示す健康度チェック装置１０１の外観構成を示す斜視図である。
この健康度チェック装置１０１の各構成要素は、以下に説明するように筐体２０１内に収納されている。
筐体２０１のフロント側のほぼ中央には傾斜部が設けられ、その傾斜部の中央には開口部が開口され、その開口部にタッチパネル型ディスプレイ３１４が配置されている。また、そのタッチパネル型ディスプレイ３１４の右側には、コインを投入処理するためのコイン処理機構３３１およびカードリーダ３１３が配置されるとともに、プリント排出口２０６が設けられている。
【００２６】
筐体２０１のフロント側の下部には、被検査者１０４の体重を測定するための体重センサ３２５が設けられている。体重センサ３２５は、被検査者１０４が体重測定の際に両足をのせる計量部を備えている。
筐体２０１のフロント側の上部は開口され、その開口部にハーフミラー２１１が取り付けられている（図５参照）。ハーフミラー２１１の後方には、反射式の身長センサ３２４と、被検査者１０４の顔を撮影するためのカメラ３１４が設けられている。さらに、ハーフミラー２１１の左右には、被検査者１０４が両手で直接握ることにより体脂肪を測定するための体脂肪センサ３２６の握り棒２０７、２０７が設けられている。
【００２７】
また、ハーフミラー２１１の下側には、後述の検体カートリッジ３２８を収納するための検体カートリッジ収納口２１３と、後述の血液センサ３２１、指紋照合センサ３２２、および指血圧センサ３２３を使用する際に被検査者１０４の指を挿入するための指挿入口２１４とが設けられている。検体カートリッジ収納口２１３と指挿入口２１４とは、それぞれ開閉自在なシャッタ（開閉扉）を備え、そのシャッタは後述のように必要なときにだけ開くようになっている。
（健康度チェック装置の構成）
図３は、図１に示す健康度チェック装置１０１の構成例を示すブロック図である。
【００２８】
この健康度チェック装置１０１は、図３に示すように、制御部３０２と、個人識別部３１０と、センサ部３２０と、決済部３３０と、入出力部３４０と、を備えている。
制御部３０２は、後述のように、入出力部３４０からの指示などに従って所定の判定や各部の制御を行うものであり、ＣＰＵやメモリなどから構成される。また、制御部３０２は、ネットワークを介して図１に示すデータセンター１０３などと双方向の通信を行うための通信部３０３と、各部に所定の電圧を供給する電源３０４とを含んでいる。
【００２９】
個人識別部３１０は、被検査者１０４が使用の際に、本人であるか否かを確認（認証）するための情報を取得、処理するためのものであり、カードリーダ３１３と、カメラ２１０と、本人照合部３１５と、を含んでいる。
カードリーダ３１３は、会員カード、決済カード、または住民カードなどのＩＣカード３１２に保持される本人を識別するための情報などを読み出すものであり、その読み出した情報は制御部３０２に入力される。カメラ３１４は、被検査者１０４の顔を撮影するものであり、その撮影された顔の画像は、制御部３０２に入力される。本人照合部３１５は、カメラ３１４で撮影した顔の画像と登録されている顔の画像と比較し、本人か否かの照合を行うものである。
【００３０】
センサ部３２０は、血液センサ３２１、指紋照合センサ３２２、指血圧センサ３２３、身長センサ３２４、体重センサ３２５、体脂肪センサ３２６などの各種のセンサの他に、カートリッジ収納部３２７を備えている。
血液センサ３２１および指紋照合センサ３２２の具体的な構成について、図４を参照して説明する。
【００３１】
血液センサ３２１は、指の一部から血液を採取し、この採取した血液の所定の成分値、または所定の生化学的な値を検査するものである。この血液センサ３２１は、具体的には図４に示すように、指４０３の一部から血液を採取するための針４０６と、その針４０６で採取された血液を使用して所定の血液生体値を判定する血液生体値判定回路４０９と、から構成される。
【００３２】
指紋照合センサ３２２は、図４に示すように、指先の指紋を検出する指紋センサ４０５と、その検出された指紋を登録されている指紋と比較することにより本人のものであるか否かを判定する指紋アルゴリズム判定回路４０８と、から構成される。
そして、血液センサ３２１と指紋センサ３２２とは、共通の判定回路４１０を備えている。
【００３３】
針４０６と指紋センサ４０５とは、図４に示すように、被検査者の指４０３を挿入するための指挿入部４０２内であって、その下部側に配置されている。その指挿入部４０２は、図２に示す指挿入口２１２に連続し、指挿入口２１２のシャッタが開いたときに指を挿入できるようになっている。
針４０６は、血液の採取時には上昇し、採血の終了後は降下するようになっている。また、針４０６は、消毒液皿４０７内に消毒液を溜めることにより、使用の前後にその針４０６を消毒できるようになっている。
【００３４】
指血圧センサ３２３は、図２の指挿入口２１２に他の指を挿入することにより、指の血圧を検出するようになっている。
身長センサ３２４は、例えば図５に示すように構成されている。
すなわち、身長センサ３２４は、図５に示すように、ハーフミラー２１１と、発光素子と受光素子とが一対からなる発光／受光素子５０４と、この発光／受光素子５０４を配列する基板５０５と、身長判定回路５０７とを備え、これらにより反射式の身長計を構成している。
【００３５】
ハーフミラー２１１は、筐体２０１のフロント側の上部が開口され、その開口部に取り付けられている。ハーフミラー２１１の後方に、発光／受光素子５０４が上下方向に配列された基板５０５が配置されている。
このような構成からなる身長センサ３２４では、図５に示すようにハーフミラー２１１の前に被検査者１０４が直立し、測定が開始されると、発光／受光素子５０４から光が発射される。その光は、ハーフミラー２１１を通過して被検査者１０４から反射し、その反射光５０６が発光／受光素子５０４で受光される。この発光／受光素子５０４の受光は、被検査者１０４の身長により異なるので、身長判定回路５０７はその身長を判定するようになっている。
【００３６】
体重センサ３２５は、被検査者の体重を検出するものであり、その検出値は制御部３０２に入力されるようになっている。また、体脂肪センサ３２６は、被検査者の体脂肪を検出するものであり、その検出値は制御部３０２に入力されるようになっている。
カートリッジ収納部３２７は、図２の検体カートリッジ収納口２１３と接続され、検体カートリッジ３２８が収納されるものである。検体カートリッジ３２８は、被検査者が採取した血液、尿、大便を一時的に保存できるようにしたものである。その検体カートリッジ３２８は、カートリッジ収納部３２７に収納されと、その保存されている血液、尿、大便がそれぞれ取り出されるようになっている。そして、その取り出された血液、尿、大便は、図示しないセンサによって所定の生化学的な検査が行われ、その検査結果が制御部３０２に通知されるようになっている。
【００３７】
決済部３３０は、被検査者が検査を行う際に、検査に必要な金額のコインなどを投入すると、釣り銭を出力したり、レシートを発行するものである。このため、決済部３３０は、コインが投入されたときにそのコインの受け付けなどを行うコイン処理機構３３１と、レシートプリンタ３３２などを備え、そのレシートは図２のプリント排出口２０６から排出されるようになっている。
入出力部３４０は、図２に示すタッチパネル型ディスプレイ３４１と、検査の結果などを印字出力するプリンタ３４２と、を備えている。
【００３８】
（健康度チェック装置の動作）
次に、このような構成からなる実施形態の動作の一例について、図６および図７のフローチャートを参照して説明する。
いま、被検査者がスタートボタンが押下すると（ステップＳ１）、タッチパネル型ディスプレイ３４１にメニューが表示される（ステップＳ２）、そのメニュー表示画面の一例を図１０に示す。ここで、そのメニューのうちの１つまたは複数を選択できる。
【００３９】
そのメニューの表示により、被検査者がメニューを選択したか否かを制御部３０２が判定する（ステップＳ３）。被検査者がメニューを選択すると、タッチパネル型ディスプレイ３４１には「検査が始めてですか」と表示され、その判定をするために「はい」または「いいえ」と聞いてくる（ステップＳ４）。被検査者が「はい」と答えると、ディスプレイ３４１に料金の表示が行われる（ステップＳ５）。
【００４０】
次に、被検査者からの現金投入の完了の有無が判定される（ステップＳ６）。ここで、クレジットカードを使用して料金を決済することも可能である。
そして、ステップＳ６で現金投入が完了されたことが判定されると、次に被検査者からの氏名の入力完了の有無が判定される（ステップＳ７）。このときには、被検査者は自己の氏名の他に、生年月日、男女の別などを入力し、これらが入力されたことが判定（確認）される。
【００４１】
そして、氏名の入力完了があったことが判定されたときには（ステップＳ７：ＹＥＳ）、本人確認が必要か否かが判定され（ステップＳ８）、被検査者から本人確認が必要な旨の指示があると、ステップＳ９に進む。
ステップＳ９では、被検査者にＩＤカードの挿入が指示され、この指示によりＩＤカードが挿入されると、カードリーダ３１３は、そのＩＤカードの情報を読み取り、この読み取られた情報は制御部３０２に入力される。次に、被検査者にパスワードの入力が指示され、パスワードが入力されると（ステップＳ１０）、その入力されたパスワードは制御部３０２に入力される。このように入力された読み取り情報やパスワードは、制御部３０２に登録される。
【００４２】
一方、氏名の入力完了がない場合（ステップＳ７：ＮＯ）、または氏名の入力完了があったが、本人確認が不要な場合には（ステップＳ８：ＮＯ）、ステップＳ１１に進む。ステップＳ１１では、被検査者に「匿名」または「ニックネーム」の入力を要求し、被検査者はタッチパネル型ディスプレイ３４１を用いて、「匿名」または「ニックネーム」を入力する。
【００４３】
次に、被検査者にカメラ３１４による撮影が指示され、被検査者はカメラ３１４による撮影を行い（ステップＳ１２）、その撮影された画像は制御部３０２に登録される。その後、制御部３０２は、取引番号の割り付けを行ない（ステップＳ１３）、それが終わると、指挿入口２１２および検体カートリッジ収納口２１３の各シャッタがそれぞれ開く（ステップＳ１４）。
【００４４】
一方、ステップＳ４において否定判定の場合、すなわち、被検査者が検査が初めてではく「いいえ」と答えた場合には、ステップＳ１５に進み、タッチパネル型ディスプレイ３４１に料金の表示が行われる。
次に、被検査者の現金投入の完了の有無が判定され（ステップＳ１６）、現金投入が完了されたことが判定されると、被検査者に顧客ＩＤ（識別番号）の入力が指示され、被検査者が顧客ＩＤを入力すると（ステップＳ１７）、その入力された顧客ＩＤは制御部３０２に入力される。このとき使用される顧客ＩＤは、匿名、記号、取引番号などである。
【００４５】
その入力された顧客ＩＤに基づいて、タッチパネル型ディスプレイ３４１には被検査者の「氏名」、「ニックネーム」、または「匿名」が表示される（ステップＳ１８）。次に、被検査者からの指示に従って、その表示内容が正しいか否かが判定される（ステップＳ１９）。そして、表示内容が正しいと判定された場合には、被検査者にカメラ３１４による撮影が指示され、被検査者のカメラ３１４による撮影が行われる（ステップＳ２０）。制御部３０２は、その撮影に基づき、すでに撮影済みで登録されている画像データを参照して本人の確認を行い、本人であれば次のステップＳ１４に進む。
ステップＳ１４では、指挿入口２１２および検体カートリッジ収納口２１３の各シャッタがそれぞれ開くので、被検査者は、予め用意した検体カートリッジ３２８を検体カートリッジ収納口２１３に収納すると、その開閉シャッタが閉じる。
【００４６】
次に、被検査者のボディ系の各検査が、以下のように行われる（ステップＳ２１〜Ｓ２４）。
まず、被検査者は、体重センサ３２５の測定部に両足を載せて直立する。これにより、体重センサ３２５は、被検査者の体重を測定し（ステップＳ２１）、その測定データが制御部３０２に入力される。引き続き、身長センサ３２４は、被検査者の身長を測定し（ステップＳ２２）、その測定データが制御部３０２に入力される。
【００４７】
さらに、図２に示す体脂肪センサ３２６の握り棒２０７、２０７を両手で掴むと、これにより体脂肪センサ３２６は、被検査者の体脂肪を測定し（ステップＳ２３）、その測定データが制御部３０２に入力される。
その後、被検査者が、指挿入口２１２から指血圧センサ３２３の部分に所定の指を挿入すると同時に、指挿入口２１２から図４に示す指挿入部４０２内に所定の他の指４０３を挿入する。これにより、指血圧センサ３２３は血圧を測定し（ステップＳ２４）、その測定データが制御部３０２に入力される。
【００４８】
次に、被検査者の内臓系の各検査が、以下のように行われる（ステップＳ２５〜Ｓ２７）。
まず、被検査者の指４０３は、上記のように、図４の指挿入部４０２内に挿入された状態にあるので、血液センサ３２１は、針４０６で採血を行い、血液の所定の生体値（生化学値）を求め（ステップＳ２５）、この求めた生体値が制御部３０２に入力される。
このとき、指紋照合センサ３２２は、被検査者の指４０３の指紋を検出し（図４参照）、その検出した指紋は制御部２０３に登録される。このように登録しておけば、後で本人確認を行うための生体情報として使用できる。
【００４９】
引き続き、上記のようにカートリッジ収納部３２７内に収納された検体カートリッジ３２８からは、それに保存されている血液、尿、大便がそれぞれ取り出され、その取り出された血液、尿、大便の所定の生化学的な検査がセンサ（図示せず）を用いて行われ（ステップＳ２６、Ｓ２７）、その各検査結果が制御部３０２に入力される。
次に、ステップＳ２８では、被検査者のフィットネス系の検査が行われる。この検査は、被検査者の筋力を測定するものであり、例えば図示しない握力計などを用いて握力などを測定し、その測定値が制御部３０２に入力される。
【００５０】
次のステップＳ２９では、ステップＳ２１〜ステップＳ２８で収集された各データに基づき、制御部３０２は所定の分析／演算処理を行い、被検査者の健康度を算出（判定）する。
ここで、健康度とは、上記の各データに基づき、被検査者の現在の健康の度合い（健康状態の良否を示す指標）を、所定の分析／演算処理により定量的（数値）または定性的（例えば、良い、悪い、普通などで表現）に求めたものである。
【００５１】
その算出された健康度とその検査データが、タッチパネル型ディスプレイ３４１に表示される（ステップＳ３０）。次に、被検査者に対して、健康度や検査データの取得方法を選択するための要求が行われる（ステップＳ３１）。
ここで、データ取得方法としては、「プリントアウト」、「ＷＥＢ閲覧」、および「携帯電話に送信」がある。
【００５２】
「プリントアウト」とは、その表示されたデータをプリンタ３４２で印刷出力するものである。「ＷＥＢ閲覧」とは、後に自宅のパーソナルコンピュータなどの端末装置１０５でデータセンター１０３のサーバ１０３ａとネットワーク１０２を介して通信を行うことにより（図１参照）、そのデータを取得することである。「携帯電話に送信」とは、後で自己の所有する携帯電話１０６に対して、データセンター１０３のサーバ１０３ａがそのデータを送信してくれるように依頼することである。
【００５３】
上記のデータ取得方法選択の要求に基づき、「プリントアウト」が選択されると（ステップＳ３２）、制御部３０２はそのデータをプリンタ３４２で印刷出力するための処理を行う。また、「ＷＥＢ閲覧」が選択されると（ステップＳ３３）、制御部３０２は、端末装置１０５がデータセンター１０３のサーバ１０３ａからネットワーク１０２経由で、その表示データを取得できるようにするための所定の処理を行う。さらに、「携帯電話に送信」が選択されると（ステップＳ３４）、携帯電話１０６に対して、データセンター１０３のサーバ１０３ａからネットワーク１０２経由で、そのデータが送信されるようにするための所定の処理を行う。
【００５４】
次に、ステップＳ２１〜Ｓ２８で取得された各検査データ、ステップＳ２９で算出された健康度、およびその他の必要なデータ（例えば、取引番号、パスワード）は、通信部３０３によりネットワーク１０２を経由してデータセンター１０３のサーバ１０３ａに送信される（ステップＳ３５）。そして、その送信された各データは、例えば図１１に示すようにデータファイル化され、そのデータファイルはデータセンター１０３のデータベース１０３ｂに格納される（ステップＳ３６）。
その後、パスワード／取引番号がプリンタ３４２により発行され（ステップＳ３７）、検査に係る一連の処理が終了する。被検査者は、その発行されたパスワードと取引番号を、プリント排出口２０６から受け取ることができる。
【００５５】
（データセンターのサーバの動作）
次に、上記のように、健康度チェック装置１０１から送信されてきた健康度や検査データを受信したデータセンター１０３のサーバ１０３ａのデータ処理例について、図８を参照して説明する。
サーバ１０３ａは、健康度チェック装置１０１からの健康度のデータや検査データを受信すると（ステップＳ４１）、まず、顧客番号の有無を判定する（ステップＳ４２）。この判定の結果、顧客番号がないと判定した場合には、その受信したデータをデータベースに新規に追加するための処理を行う（ステップＳ４３）。一方、顧客番号があると判定した場合には、その受信したデータをソーティング処理を行う（ステップＳ４４）。
【００５６】
ここで、上記のように作成されるデータベースのデータファイルの一例を示すと、例えば図１１に示すようになる。
次に、その追加またはソーティングされたデータファイルに時刻データを書き込む（ステップＳ４５）。これにより、データベースへの書き込み処理が終了し（ステップＳ４６）、待機状態になる。
【００５７】
（端末装置の閲覧動作）
次に、データセンター１０３のデータベース１０３ｂに格納されている被検査者の健康度や検査データを、被検査者（ユーザ）が自宅のパーソナルコンピュータなどの端末装置１０５で閲覧する場合の動作例について、図９を参照して説明する。
まず、端末装置１０５の電源を投入し（ステップＳ５１）、データセンター１０３のサーバ１０３ａを特定するために、ユーザが端末装置１０５からそのＵＲＬを入力する（ステップＳ５２）。これにより、その入力したＵＲＬで特定されるサイト（データセンター）が表示画面に表示される（ステップＳ５３）。
【００５８】
次に、ユーザに取引番号の入力を要求するので、端末装置１０５から取引番号を入力する（ステップＳ５４）。さらに、ユーザにパスワードの入力を要求するので、パスワードを入力する（ステップＳ５５）。この入力された取引番号とパスワードはサーバ１０３ａに送信され、サーバ１０３ａはその受信に基づいてユーザ本人の確認を行う。
【００５９】
その確認が終了すると、サーバ１０３ａからの送信に基づいて、端末装置１０５の表示画面には「過去の履歴が必要ですか」という表示がされ（ステップＳ５６）、その判定が行われる（ステップＳ５７）。その表示により、過去の履歴が必要である旨の指示をユーザが行うと、さらに、端末装置１０５の表示画面には「認証が必要ですか」という表示がされ（ステップＳ５８）、その判定が行われる（ステップＳ５９）。
【００６０】
その表示により、認証が必要である旨の指示をユーザが行うと（ステップＳ５９：ＹＥＳ）、この指示に基づき、サーバ１０３ａはデータベースに格納されるユーザの健康度や検査データの過去の履歴データを検索し、その検索した過去の履歴データを端末装置１０５に送信する。
端末装置１０５は、その送信された過去の履歴データを受信すると、その受信した過去の履歴データを表示画面に表示する（ステップＳ６０）。そして、その表示画面に表示されたユーザの過去の履歴データは、端末装置１５により公知の認証技術を用いて認証されたものとして発行される（ステップＳ６１）。
このように発行された過去の履歴データは認証されているので、会社などで要求される健康診断書として提出することができる。
【００６１】
以上説明したように、この実施形態によれば、健康度チェック装置を公共的な場所に設置しておけば、被検査者はプライバシーの保護が確保された状態で、被検査者自身の操作によって必要にときに健康度のチェックができ、そのチェックの結果を直ちに入手することができる。しかも、本人確認の必要の有無にかかわりなく使用できる上に、匿名やニックネームでの使用も可能である。
また、この実施形態によれば、被検査者が健康度チェック装置で健康度のチェックをすることにより、その後に被検査者などが必要に応じて、端末装置などの利用によりネットワークを介してサーバから本人と関連付けた健康度に係るデータを容易に獲得できる。
【００６２】
（その他）
上記の実施形態では、本人確認を行うために、指紋照合センサ３２２で指紋を検出し、これを登録してあるものと照合するようにした。しかし、本人確認の手段として、被検査者の指紋に代えて、掌紋、静脈パターン、手相を利用するようにしても良い。
また、上記の実施形態では、被検査者の健康度を健康度チェック装置１０１で求めるようにした（図７のステップＳ２９参照）。しかし、これに代えて、健康度チェック装置１０１で収集した検査データ（図７のステップＳ２１〜Ｓ２８参照）を、ネットワーク１０２を介してデータセンター１０３のサーバ１０３ａに送信するようにしても良い。そして、サーバ１０３ａが、その受信した検査データを使用して所定の分析／演算を行い、健康度を求めるようにしても良い。
【００６３】
さらに、上記の実施形態では、健康度チェック装置１０１とデータセンター１０３との間で通信を行う場合について主に説明した。しかし、図１に示すように、ネットワーク１０２上には保険会社１１１が接続されている。
このため、データセンター１０３が所有する検査データは、データセンター１０３から本人の確認の下で保険会社１１１にも直接接続して提出することができる。この場合には、保険サービスなどの効率的な設計が可能であり、健康であれば生命保険や医療保険料が安く出来るというような顧客サービスが提供できるという効果が得られる
【図面の簡単な説明】
【００６４】
【図１】本発明の健康度チェックシステムの実施形態の構成を示す説明図である。
【図２】本発明の健康チェック装置の実施形態の外観構成を示す斜視図である。
【図３】その健康チェック装置の実施形態の構成例を示すブロック図である。
【図４】血液センサと指紋照合センサの構成例を示す図である。
【図５】身長センサの構成例を示す側面図である。
【図６】健康度チェック装置の動作例を説明するフローチャートである。
【図７】図６の続きのフローチャートである。
【図８】データセンターのサーバの動作例を説明するフローチャートである。
【図９】端末装置からの閲覧動作例を説明するフローチャートである。
【図１０】メニューの選択画面を示す図である。
【図１１】データファイルの一例を示す図である。
【符号の説明】
【００６５】
１０１  健康度チェック装置
１０２  ネットワーク
１０３  データセンター
１０３ａ  サーバ
１０３ｂ  データベース
１０４  被検査者
１０５  端末装置
１０６  携帯電話
３０２  制御部
３１０  個人識別部
３２０  センサ部
３３０  決済部
３４０  入出力部
【図１】
2008090465.tif 000003
【図２】
2008090465.tif 000004
【図３】
2008090465.tif 000005
【図４】
2008090465.tif 000006
【図５】
2008090465.tif 000007
【図６】
2008090465.tif 000008
【図７】
2008090465.tif 000009
【図８】
2008090465.tif 000010
【図９】
2008090465.tif 000011
【図１０】
2008090465.tif 000012
【図１１】
2008090465.tif 000013